(57)【要約】【課題】表示モニタの向きを機構的に調整することなく、ユーザから見る映像が最適となるような、表示装置ならびにシステムを提供する。【解決手段】表示装置を、無線通信により視聴者と表示モニタ４との間の相対的な位置関係を認識する位置関係認識手段３１と、位置関係認識手段３１で認識された視聴者と表示モニタ４との間の相対的な位置関係に基づき、表示モニタ４に表示される画像を加工する画像処理手段３２と、加工された画像を表示モニタ４に表示する表示制御手段３３とにより構成した。【選択図】図２
2008203649.tif 000002
【特許請求の範囲】
【請求項１】
無線通信により視聴者と表示モニタとの間の相対的な位置関係を認識する位置関係認識手段と、
前記位置関係認識手段で認識された視聴者と表示モニタとの間の相対的な位置関係に基づき、前記表示モニタに表示される画像を加工する画像処理手段と、
前記加工された画像を前記表示モニタに表示する表示制御手段と、
を備えたことを特徴とする表示装置。
【請求項２】
前記位置関係認識手段は、
視聴者が装着するヘッドフォン、もしくはリモコンに設けられた送信部から発せられる無線信号を、前記表示モニタに複数設けられた信号受信部で受信し、前記信号受信部で受信した受信信号と前記ヘッドフォンもしくはリモコンから発せられる無線信号との位相差を演算し、前記視聴者と表示モニタとの間の相対的な位置関係を認識することを特徴とする請求項１記載の表示装置。
【請求項３】
前記画像処理手段は、
前記加工前の画像がフレーム単位で格納される第１のメモリと、
前記位置関係認識手段で認識された視聴者と表示モニタとの間の相対的な位置関係のそれぞれに基づきあらかじめ定義された表示制御量が格納される第２のメモリと、
前記第１のメモリから加工前の画像を読み出し、前記読み出された加工前の画像を前記第２のメモリを参照して得られる表示制御量にしたがって加工する演算処理部と、
前記演算部により加工された画像がフレーム単位で格納される第３のメモリと、
を備えたことを特徴とする請求項１記載の表示装置。
【請求項４】
前記演算処理部は、
前記表示制御量に基づき、前記加工前の画像の表示位置を変更して前記第３のメモリへ描画することを特徴とする請求項３記載の表示装置。
【請求項５】
前記演算処理部は、
前記表示制御量に基づき、前記加工前の画像を圧縮してアスペクト比を変更し、前記第３のメモリへ描画することを特徴とする請求項３記載の表示装置。
【請求項６】
前記演算処理部は、
前記表示制御量に基づき、前記加工前の画像に、前記表示モニタのサイズに応じた水平もしくは垂直方向に台形補正処理を施し、前記第３のメモリへ描画することを特徴とする請求項３記載の表示装置。
【請求項７】
前記表示制御手段は、
前記表示制御量に基づき、共通電極を基準電位として液晶駆動映像信号がフィールド毎に反転して交番駆動される液晶を表示デバイスとする前記表示モニタの、前記共通電極駆動信号を制御して視野角を操作することを特徴とする請求項１記載の表示装置。
【請求項８】
前記表示制御手段は、
前記視聴者と表示モニタとの間の相対的な位置に基づき演算される前記位相差が所定の値を超えた場合に前記表示モニタへブルースクリーンを表示するか、もしくは表示モニタに対する電源供給を停止することを特徴とする請求項１または請求項２記載の表示装置。
【請求項９】
視聴者が装着するヘッドフォンもしくはリモコンと、
前記ヘッドフォンもしくはリモコンに設けられた送信部から発せられる無線信号を受信する画面に複数設けられた信号受信部を備えた表示モニタと、
前記信号受信部で受信した受信信号と前記ヘッドフォンもしくはリモコンから発せられる無線信号とのそれぞれの位相差を演算して視聴者と前記表示モニタとの間の相対的な位置関係を認識し、当該認識された相対的な位置関係に基づき前記表示モニタに表示される画像を加工して前記表示モニタに表示する制御装置と、
を備えたことを特徴とする表示システム。
【発明の詳細な説明】
【技術分野】
【０００１】
この発明は、特に、車両の後部座席や天井に設置される車載表示モニタに用いて好適な、表示装置ならびにシステムに関するものである。
【背景技術】
【０００２】
近年、車両の後部座席に車載ディスプレイを設置するケースが増加してきている。後部座席では、ユーザのアイポイントの自由度が大きいため、最適な映像を見るためには、例えば、ディスプレイの画面がユーザの正面方向を向くような仕組みが必要になる。
このため、従来、ヘッドフォンに光発光部を搭載し、ディスプレイに信号受信部を内蔵させ、ユーザの頭部の向きに合わせてディスプレイが最適な向きとなるように、モータによりディスプレイの向きを自動調整することのできる車載ディスプレイ装置が提案されている（例えば、特許文献１参照）。
【０００３】
【特許文献１】特開２００６−８８９５３号公報
【発明の開示】
【発明が解決しようとする課題】
【０００４】
しかしながら上記した特許文献１に開示された技術によれば、画面の向きを調整するためにモータを使用する必要があり、したがってコスト高となる。また、モータは、ノイズ発生源となるためディスプレイに鮮明な映像を表示するうえで好ましくない。
【０００５】
この発明は上記した課題を解決するためになされたものであり、表示モニタの向きを機構的に調整することなく、ユーザから見る映像が最適となるような、表示装置ならびにシステムを得ることを目的とする。
【課題を解決するための手段】
【０００６】
上記した課題を解決するためにこの発明に係る表示装置は、無線通信により視聴者と表示モニタとの間の相対的な位置関係を認識する位置関係認識手段と、前記認識手段で認識された視聴者と表示モニタとの間の相対的な位置関係に基づき、前記表示モニタに表示される画像を加工する画像処理手段と、前記加工された画像を前記表示モニタに表示する表示制御手段と、を備えたものである。
【０００７】
また、この発明に係る表示システムは、視聴者が装着するヘッドフォンもしくはリモコンと、前記ヘッドフォンもしくはリモコンに設けられた送信部から発せられる無線信号を受信する画面に複数設けられた信号受信部を備えた表示モニタと、前記信号受信部で受信した受信信号と前記ヘッドフォンもしくはリモコンから発せられる無線信号とのそれぞれの位相差を演算して視聴者と前記表示モニタとの間の相対的な位置関係を認識し、当該認識された相対的な位置関係に基づき前記表示モニタに表示される画像を加工して前記表示モニタに表示する制御装置と、を備えたものである。
【発明の効果】
【０００８】
この発明によれば、表示モニタの向きを機構的に調整することなく、ユーザから見る映像が最適となるような、表示装置ならびにシステムを提供することができる。
【発明を実施するための最良の形態】
【０００９】
実施の形態１．
図１は、この発明の実施の形態１に係る表示システムの車両への実装形態を示す図であり、車両内部（車室内）を拡大して示してある。
ここでは、表示モニタ４は、車両のヘッドレストの後ろに取り付けるタイプとなっているが、天吊りタイプにも同様に適用できる。表示システム１は、上記した表示モニタ４の他に、当該表示モニタ４に内蔵されるか、もしくは外付けされる制御装置（不図示）と、後部座席に着座した視聴者に装着されるヘッドフォン２１もしくはリモコン２２、ならびに、ヘッドフォン収納部２３、およびリモコン収納部２４により構成される信号発信装置２とを有するもので、それぞれの詳細は後述する。
【００１０】
図２は、この発明の実施の形態１に係る表示システム１を構成する信号発信装置２、制御装置３の内部構成を示すブロック図である。制御装置３は、位置関係認識手段３１と、画像処理手段３２と、表示制御手段としての表示制御部３３とにより構成されている。
【００１１】
位置関係認識手段３１は、例えば、ＩｒＤＡ（赤外線）を用いた無線通信により視聴者と表示モニタ４との間の相対的な位置関係を認識する機能を持つ。
具体的には、例えば、図４に示されるように、信号発信装置２として視聴者が装着するヘッドフォン２１、もしくはリモコン２２（ここではヘッドフォン２１とする）に設けられる送信部２１０から発せられる無線信号を、表示モニタ４に複数、つまり表示モニタの少なくとも四隅に設けられた信号受信部４１〜４４で受信する。この信号受信部４１〜４４で受信したそれぞれの受信信号と、ヘッドフォン２１の送信部２１０から発せられる無線信号との位相差を演算し、視聴者と表示モニタ４との間の相対的な位置関係を認識するものである。このため、位置関係認識手段３１は、信号受信部３１１と、信号検知部３１２と、方向演算部３１３とにより構成される。各部の機能等、詳細は後述する。
【００１２】
画像処理手段３２は、位置関係認識手段３１で認識された視聴者と表示モニタ４との間の相対的な位置関係を示す情報に基づき、表示モニタ４に表示される画像を加工する機能を持ち、この画像処理手段３２は、表示制御量設定テーブル３２１と、表示制御量設定部３２２と、フレームメモリ３２３と、演算処理部３２４とにより構成される。
フレームメモリ３２３は、加工前の画像と加工後の画像がフレーム単位で格納される第１と第３のメモリとして、また、表示制御量設定テーブル３２１は、位置関係認識手段３１で認識された視聴者と表示モニタ４との間の相対的な位置関係のそれぞれに基づきあらかじめ定義された表示制御量が格納される第２のメモリとして機能する。
【００１３】
演算処理部３２４は、フレームメモリ３２３（第１のメモリ）から加工前の画像を読み出し、当該読み出された加工前の画像を、表示制御量設定テーブル３２１（第２のメモリ）を参照して得られる表示制御量にしたがって加工し、加工後の画像をフレームメモリ３２３（第３のメモリ）に描画する機能を持つ。
なお、ここでいう「加工」とは、表示描画位置の変更、アスペクト比の変更、歪み補正のいずれかをいう。いずれも詳細は後述する。
【００１４】
また、表示制御量設定部３２２は、位置関係認識手段３１（方向演算部３１３）により出力される方向情報に基づき表示制御量設定テーブル３２１を参照し、あらかじめ定義された表示制御量に関するデータを取得して演算処理部３２４に設定する機能を持つ。
【００１５】
一方、表示制御手段としての表示制御部３３は、画像処理部３２（演算処理部３２４）によって加工された画像をフレームメモリ３２３（第３のメモリ）から読み出し、表示モニタ４に表示する機能を持つ。
表示制御部３３はまた、画像処理手段３２（演算処理部３２４）によって引き渡される表示制御量に基づき、共通電極を基準電位として液晶駆動映像信号がフィールド毎に反転して交番駆動される液晶を表示デバイスとする表示モニタ４の、共通電極駆動信号を制御して視野角を操作することもできる。また、視聴者と表示モニタ４との間の相対的な位置関係に基づき演算される位相差が所定の値を超えた場合に、表示モニタ４へブルースクリーン（青地に白色でエラーメッセージ表示）を表示するか、もしくは表示モニタ４に対する電源供給を停止する機能も合わせ持つ。
【００１６】
図３は、この発明の実施の形態１に係る表示装置の動作を示すフローチャートである。以下、図３に示すフローチャートを参照しながら、この発明の実施の形態１に係る表示装置の動作について詳細に説明する。
【００１７】
まず、表示モニタ４の電源がＯＮされた状態で、ヘッドフォン２１（送信部２１０）もしくはリモコン２２から送信される無線信号は、表示装置の位置関係認識手段３１（信号受信部３１１）で受信され、信号検知部３１２でその無線信号受信の有無を検知する（ステップＳＴ３１）。無線信号を受信できなかった場合は（ステップＳＴ３１“ＮＯ”）その無線信号を受信するまで信号検知を繰り返す。信号検知部３１２で無線信号を検知すると（ステップＳＴ３１“ＹＥＳ”）、方向演算部３１３は、その信号の特性を認識するために所定の演算（方向演算）を施して、ヘッドフォン２１もしくはリモコン２２と、表示モニタ４との間の相対的な位置関係を特定する（ステップＳＴ３２）。
【００１８】
具体的に、方向演算部３１３は、表示モニタ４から見たヘッドフォン２１もしくはリモコン２２の方向が、ある閾値を持つ角度より大きいか否かを判定し（ステップＳＴ３３）、閾値角度以内であれば（ステップＳＴ３３“ＮＯ”）、ユーザが表示モニタ４に表示されている映像を視聴しているものと判定する。一方、ヘッドフォン２１がヘッドフォン収納部２３に、もしくはリモコン２２がリモコン収納部２４に収納されている等により、閾値角度以上であれば（ＳＴ３３“ＹＥＳ”）、視聴していないものと判定して画面表示をＯＦＦし（ステップＳＴ３４）、再びステップＳＴ３１の処理に戻る。
【００１９】
表示モニタ４から見たヘッドフォン２１もしくはリモコン２２の方向情報は、以下に説明する手順にしたがい求めることができる。すなわち、信号受信部３１１は、図５（ａ）〜（ｄ）に示されるように、表示モニタ４の四隅に設けられた信号受信部４１〜４４から転送される信号波形を受信して信号検知部３１２へ転送する。信号検知部３１２は、各受信信号をサンプリングして閾値と比較することにより閾値以上のレベルを有する受信信号を検知して方向演算部３１３へ出力する。
方向演算部３１３は、例えば、信号受信部４１の信号と信号受信部４３の信号の位相差および極性を演算により求めることで、表示モニタ４からみたヘッドフォン２１に設けられた送信部２１０の上下方向における角度を認識することができる。また、方向演算部３１３は、信号受信部４２の信号と信号受信部４４の信号の位相差と極性を演算により算出することで、表示モニタ４からみたヘッドフォン２１に設けられた送信部２１０の左右方向における角度を認識することができる。
【００２０】
このことにより、方向演算部３１３は、表示モニタ４からみたヘッドフォン２１に設けられた送信部２１０の最適視野角に対する上下左右の角度を認識し、画像処理手段３２（表示制御量設定部３２２）へ供給することができる。
なお、リモコン２２を使用する場合、ユーザは、リモコン２２を目線の位置までもっていき、表示モニタ４と正対する位置でリモコン操作を行う必要がある。
【００２１】
説明を図３のフローチャートに戻す。画像処理手段３２（表示制御量設定部３２２）は、ステップＳＴ３４で演算したヘッドフォン２１もしくはリモコン２２と表示モニタ４との角度に基づき、予め角度毎の表示制御量を格納している表示制御量設定テーブル３２１を参照する。そして、該当する補正量を取得して演算処理部３２４へ設定する（ステップＳＴ３５）。
演算処理部３２４は、フレームメモリ３２に格納された加工前の映像情報を読み出し、当該読み出された映像情報に対して、表示制御量設定部３２２により設定された表示制御量にしたがう画像処理を施して加工する（ステップＳＴ３６）。このことにより、ユーザに最適な視野角となるような画像を生成し、ここで生成された画像をフレームメモリ３２３に格納する。続いて表示制御部３３は、フレームメモリ３２３から加工後の映像情報を読み出し、表示モニタ４に供給して所望の表示を得る（ステップＳＴ３７）。
【００２２】
図６に、上記した処理を行う画像処理手段３２の詳細な内部構成を、図７に、そのために必要な表示制御量テーブルのデータ構造の一例を示している。
図６において、フリームメモリ３２３には、加工前の映像情報が一時格納されるフレームバッファαと、加工（画像処理）後の映像情報が描画されるフレームバッファβとが割当てられている。外部から到来するアナログ映像情報３２５は、Ａ／Ｄコンバータ３２８によりデジタル信号に変換され、フレームメモリ３２３（フレームバッファα）に書き込まれる。また、デジタル映像情報３２６、あるいはブルースクリーン情報３２７は、フレームメモリ３２３（フレームバッファα）に直接書き込まれる。
【００２３】
一方、表示制御量設定テーブル３２１は、例えば、図７に示されるように、位置関係認識手段３１（方向演算部３１３）により認識される方向（角度）に応じた表示制御量が対応付けられ定義されている。すなわち、画像処理の例として表示位置をシフトする場合は表示制御量としてその補正量が、画面圧縮する場合は、表示制御量としてのアスペクト比もしくは間引き量が、歪補正する場合は、水平／垂直方向の台形補正量が、それぞれ格納されている。
画像処理手段３２（表示制御量設定部３２２）は、位置関係認識手段３１（方向演算部３１３）により出力される方向（位相差と極性）に基づき表示制御量設定テーブル３２１を参照して該当する表示制御量を取得し、演算処理部３２４へ設定する。演算処理部３２４は、フレームメモリ３２３（フレームバッファα）に書き込まれている加工前の映像情報を読み出し、取得した表示制御量に基づき映像情報を加工し、加工後の映像情報をフレームメモリ３２３（フレームバッファβ）に格納する。そして、表示制御部３３は、表示モニタ４の表示タイミングに同期してフレームメモリ３２３（フレームバッファβ）から加工後の映像情報を読み出し、表示モニタ４へ出力することにより所望の表示を得る。
【００２４】
図８〜図１０は、画像処理手段３２（演算処理部３２４）による画像処理の一例を示す図であり、表示位置の変更（図８）、画面圧縮に伴うアスペクト比の変更（図９）、歪み補正（図１０）、視野角の変更（図１１）のそれぞれを示す。
以下、図６、図７に示す画像処理手段３２（演算処理部３２４）の動作につき、図８〜図１１を参照しながら詳細に説明する。
【００２５】
図８、図９は、表示モニタ４の上部に遮光のために設置されるカバー等のフレームが存在することにより、例えば、スクリーン画面を上方向から見た際に、フレームに遮られて上端の映像が見えなくなる場合に視認性を向上させるための画像処理の一例を示す。
【００２６】
すなわち、図８に示す画像処理は、図８（ａ）に示されるように、スクリーン画面上端の映像が見えなくなる場合において、図８（ｂ）に示されるように、画像処理手段３２が、上記により認識したヘッドフォン２１もしくはリモコン２２の方向情報（位相差およびその極性）に応じて、表示モニタ４における画面スクリーン内の映像表示位置を下方向にシフトさせる。具体的には、演算処理部３２４が、フレームメモリ３２３（フレームバッファα）に格納されている映像情報を、表示制御量設定テーブル３２１に定義されている補正量だけ下方向にシフトし、フレームメモリ３２３（フレームバッファβ）に格納することで、カバーによって遮られていた映像がユーザから見えるようになり、したがって、画面上部からの視認性を向上させることが可能になる。
この画像処理を適用することにより、特に、スクリーン画面上部に画面下部より重要な情報がある場合（例えばウムラウトなど）には、視聴するユーザにとって有益となる。
【００２７】
一方、図９に示す画像処理は、画像処理手段３２が、図９（ａ）に示される画像に対し、上記と同様の方法で認識したヘッドフォン２１もしくはリモコン２２の方向情報に応じて、スクリーン画面を圧縮してアスペクト比（縦横比ａ；ｂ）を変更することにより、図９（ｂ）に示されるように画面全体を表示させることを可能とする。
ハイビジョン用の表示モニタ４は通常１６：９（ＰＣの場合は通常４：３）であるが、演算処理部３２４が表示制御量設定テーブル３２１に定義された表示制御量（縦横のいずれかの比率）にしたがいその比率を変更し、表示制御部３２４がその比率に従い表示制御を行なうことで表示モニタ４に所望の表示を行うことができる。
【００２８】
図１０は、表示モニタ４を例えば上部から見ると、本来、四角に見える映像が歪んで見え、台形状に見えてしまう場合に好適な画像処理の例を示す。
この場合、画像処理手段３２は、図１０（ａ）に示す画像に対し、上記と同様の方法で認識したヘッドフォン２１もしくはリモコン２２の方向情報をもとに台形補正処理を施すことにより、図１０（ｂ）に示されるように、上方向から見ていても正面から見ているかのように画像を補正するものである。これにより、どの方向からディスプレイを見ても、歪みのない映像を見ることができる。なお、台形補正処理とは、傾きを検知して左右上下方向に±所定の角度の範囲で生じる台形の歪を補正する処理を言い、演算処理部３２４が、表示制御量設定テーブル３２１に定義された表示制御量に基づき、フレームメモリ３２３（フレームバッファα）から読み出される加工前の映像情報に、表示モニタ４の画面サイズに応じた水平もしくは垂直方向に施し、フレームメモリ３２３（フレームバッファβ）へ描画することにより実現される。
【００２９】
上記した実施の形態１によれば、表示モニタ４自体の向きを機構的に調整することなく、画像処理により、画面描画位置を最適化し、画像を圧縮し、あるいは画像歪みを補正することにより、ユーザから見る映像が最適となるような表示装置もしくは表示システムを提供することができる。
【００３０】
実施の形態２．
図１１は、表示モニタ４に液晶を用いた場合に有効な画像処理の例を示す。ここでは、演算処理部３２４に代わって表示制御部３３が制御を司る。以下、この発明の実施の形態２に係る表示装置について説明するが、表示装置の内部構成は、実施の形態１同様、図２、図６に示す構成をそのまま引用するものとする。
【００３１】
ここでは、表示制御部３３が共通電極駆動信号（ＶＣＯＭ）を制御して液晶の最適視野角を操作する。例えば、ＴＦＴ液晶の表示モニタ４は、図１１に示されるように、ＴＦＴ側ガラス基板４１と対向電極側ガラス基板４２とで液晶層４３を挟むサンドイッチ構造になっており、ＴＦＴ側ガラス基板４１には、映像信号が供給される画素電極４１１、ソースバスライン４１２、ゲートバスライン４１３等を形成するが、対向電極側ガラス基板４２（カラーフィルタ側）には共通電極４２１が形成される。
上記した共通電極４２１を基準電位とし、液晶駆動用の映像信号がフィールド毎に反転して交番駆動される液晶表示モニタ４の共通電極駆動信号（ＶＣＯＭ）を制御することで最適視野角の範囲を変更することが知られている。ここでは、表示制御部３３が、画像処理手段３２（演算処理部３２４）によって引き渡される表示制御量に基づき共通電極駆動信号を制御して視野角を操作することにした。従来、視野角は、液晶表示モニタ４が搭載される車種などに応じて一律的な共通電極駆動信号を設定して一律に設定される。これに対し、表示制御部３３が、上記した方法で認識したヘッドフォン２１もしくはリモコン２２の方向情報に応じて共通電極駆動信号（ＶＣＯＭ）を制御することで最適視野角の範囲を変化させ、このことにより、車種や、ユーザのアイポイントに依存することなく視認性の向上を可能としたものである。
【００３２】
なお、表示制御部３３は、他に、位置関係認識手段３１（方向演算部３１３）による制御の下、視聴者と表示モニタ４との間の相対的な位置関係に基づき演算される位相差が所定の値を超えた場合に、表示モニタ４へ、フレームメモリ３２３（フレームバッファα）に格納しているブルースクリーン表示（青いスクリーンに白文字でエラー表示）を行うか、もしくは表示モニタ４に対する電源供給を停止する制御も行なう。
すなわち、図１２に示されるように、認識しているヘッドフォン２１もしくはリモコン２２の方向情報をもとに、ヘッドフォン２１がヘッドフォン収納部２３に、もしくはリモコン２２がリモコン収納部２４に収納される等して表示モニタ４から見たヘッドフォン２１もしくはリモコン２２の方向がある閾値角度以上になると、視聴が終了したとものと判定して画面をＯＦＦするものである。
【００３３】
上記した実施の形態２によれば、表示制御手段（表示制御部３３）が、液晶表示モニタ４の共通電極信号を最適化することにより、ユーザから見る映像が最適となるような表示装置、および表示システムを提供することができる。
また、表示制御手段（表示制御部３３）が、視聴者と表示モニタ４との間の相対的な位置関係に基づき演算される位相差が所定の値を超えた場合に、表示モニタ４へブルースクリーン表示を行うか、もしくは表示モニタ４への電源供給を停止する制御を行なうことで省電力および表示モニタ４の延命化がはかれる。
【００３４】
以上説明のように、表示装置を、無線通信により視聴者と表示モニタ４との間の相対的な位置関係を認識する位置関係認識手段３１と、位置関係認識手段３１で認識された視聴者と表示モニタ４との間の相対的な位置関係に基づき、表示モニタ４に表示される画像を加工する画像処理手段３２と、加工された画像を表示モニタ４に表示する表示制御手段３３とにより構成し、あるいは、上記した表示装置と、信号発信装置２として送信部２１０を備えたヘッドフォン２１もしくはリモコン２２とを組み合わせて表示システム１を構築することにより、表示モニタ４の向きを機構的に調整することなく、ユーザから見る映像が最適に設定することができる。
【００３５】
なお、図２に示す制御装置３の構成要素である位置関係認識手段３１と、画像処理手段３２それぞれが持つ機能は、具体的には、制御装置３が持つＣＰＵが内蔵のメモリに記録されたプログラムを逐次読み出し実行することにより実現されるものであり、また上記した制御装置２が持つ各構成ブロックの機能は、上記のように全てをソフトウエアによって実現しても、あるいはその少なくとも一部をハードウエアで実現してもよい。例えば、位置関係認識手段３１（方向演算部３１３）や、画像処理手段３２（演算処理部３２４）における処理は、１または複数のプログラムによりコンピュータ上で実現してもよく、また、その少なくとも一部をハードウエアで実現してもよい。
【図面の簡単な説明】
【００３６】
【図１】この発明の実施の形態１に係る表示システムの車両への実装形態を説明するために示した図である。
【図２】この発明の実施の形態１に係る表示装置の内部構成を示すブロック図である。
【図３】この発明の実施の形態１に係る表示装置の動作を示すフローチャートである。
【図４】この発明の実施の形態１に係る表示装置の動作を説明するために示した図である。
【図５】この発明の実施の形態１に係る表示装置の動作を説明するために示した図である。
【図６】この発明の実施の形態１に係る表示装置の画像処理手段の詳細を示す図である。
【図７】この発明の実施の形態１に係る表示装置において使用される表示制御量設定テーブルのデータ構造の一例を示す図である。
【図８】この発明の実施の形態１に係る表示装置による画像処理の一例を示す図である。
【図９】この発明の実施の形態１に係る表示装置による画像処理の一例を示す図である。
【図１０】この発明の実施の形態１に係る表示装置による画像処理の一例を示す図である。
【図１１】この発明の実施の形態２に係る表示装置の動作を説明するために示した図である。
【図１２】この発明の実施の形態２に係る表示装置の動作を説明するために示した図である。
【符号の説明】
【００３７】
１  表示システム、２  信号発信装置、３  制御装置、４  表示モニタ、２１  ヘッドフォン、２２  リモコン、２３  ヘッドフォン収納部、２４  リモコン収納部、３１  位置関係認識手段、３２  画像処理手段、３３  表示制御手段（表示制御部）、３１１  信号受信部、３１２  信号検知部、３１３  方向演算部、３２１  表示制御量設定テーブル、３２２  表示制御量設定部、３２３  フレームメモリ（フレームバッファα、フレームバッファβ）、３２４  演算処理部。
【図１】
2008203649.tif 000003
【図２】
2008203649.tif 000004
【図３】
2008203649.tif 000005
【図４】
2008203649.tif 000006
【図５】
2008203649.tif 000007
【図６】
2008203649.tif 000008
【図７】
2008203649.tif 000009
【図８】
2008203649.tif 000010
【図９】
2008203649.tif 000011
【図１０】
2008203649.tif 000012
【図１１】
2008203649.tif 000013
【図１２】
2008203649.tif 000014